【手続補正書】
【提出日】平成19年9月27日(2007.9.27)
【手続補正１】
【補正対象書類名】明細書
【補正対象項目名】特許請求の範囲
【補正方法】変更
【補正の内容】
【特許請求の範囲】
【請求項１】
通信装置のマイクロホン（１１０）による近端アナログ信号出力に対して適用されるアナログ利得を調整するための適応利得制御装置（１００）であって、
該通信装置は、遠端音声を含む遠端デジタル信号を遠端アナログ信号に変換するためのデジタル−アナログ変換器（１４５）と、
前記遠端アナログ信号を受け、少なくとも一人の近端ユーザーに伝えるためのスピーカ（１２０）と、
近端雑音、遠端エコー及び近端音声を前記少なくとも一人の近端ユーザーから受け、該近端アナログ信号を生成するためのマイクロホン（１１０）と、
アナログ利得を前記近端アナログ信号に適用するための調整可能利得増幅器（１３０）と、
前記近端アナログ信号を近端デジタル信号に変換するためのアナログ−デジタル変換器（１４０）とを有し、
前記適応利得制御装置は、
専ら該近端デジタル信号を測定し、該近端デジタル信号が音声を含むかどうかを示すよう構成される第１の有音無音検出器（１５０）と、
専ら該遠端デジタル信号を測定し、該遠端デジタル信号が音声を含むかどうかを示すよう構成される第２の有音無音検出器（１５５）と、
該近端デジタル信号を監視し、第１及び第２の有音無音検出器（１５０、１５５）からの該近端デジタル信号と該遠端デジタル信号が音声を含むか否かを示す表示を受け、該アナログ利得を該近端アナログ信号に適用し、該近端デジタル信号が音声を含みかつ該遠端デジタル信号が音声を含まないときだけ近端音声の平均レベルの推定値を更新するように構成される利得制御プロセッサ（１６０）とを有し、
該利得制御プロセッサ（１６０）は、近端音声の平均レベルを推定し、該近端アナログ信号に適用される該利得を調整して、近端音声の平均レベルの該推定値を目標平均レベルに向けて押し込むように構成され、
さらに、該利得制御プロセッサ（１６０）は該アナログ利得を、該近端デジタル信号が音声を含みかつ該遠端デジタル信号が音声を含まない期間のみに基づいて調整する、適応利得制御装置。
【請求項２】
近端音声の平均レベルの前記推定値が近端音声の平均レベルの前の推定値と現行の近端音声レベルとの加重合計として更新され、それによって該適応利得制御装置が、利得適応化とシステムの安定性との均衡を与える請求項１記載の適応利得制御装置。
【請求項３】
前記利得制御プロセッサ（１６０）が、一連の近端信号サンプルブロックの終わりにおける近端音声の平均レベルの前記推定値を更新する請求項１記載の適応利得制御装置。
【請求項４】
近端音声の平均レベルの前記推定値が、前の近端信号サンプルブロックに対して作られた近端音声の平均レベルの前の推定値と現行近端信号サンプルブロックに対して計算された現行近端音声レベルとの加重平均としてスムーズに更新される、請求項３記載の適応利得制御装置。
【請求項５】
現行近端信号サンプルブロックのための前記近端音声レベルが該近端デジタル信号の平均レベルと該近端雑音レベルの推定値との差として計算される請求項４記載の適応利得制御装置。
【請求項６】
該近端雑音レベルの前記推定値が、第１と第２の有音無音検出器（１５０，１５５）が近端音声も遠端音声も前記近端デジタル信号と前記遠端デジタル信号とにそれぞれ存在しないことを示す期間に計算される請求項５記載の適応利得制御装置。
【請求項７】
前記一連の近端信号サンプルブロックが音声フレームである、請求項３記載の適応利得制御装置。
【請求項８】
利得制御プロセッサ（１６０）がいくつかのブロックごとに該アナログ利得を増加調整する、請求項３記載の適応利得制御装置。
【請求項９】
前記アナログ利得調整の間のブロック数が時間とともに変化する請求項８記載の適応利得制御装置。
【請求項１０】
前記利得制御プロセッサ（１６０）が  前記近端アナログ信号に適用されるアナログ利得を調整して該近端デジタル信号における該ピーク近端音声レベルの推定値が目標ピークレベルを超えないようにし、さらに前記利得制御プロセッサ（１６０）が、該近端デジタル信号が音声を含み、該遠端デジタル信号が音声を含まないときに限り該ピーク近端音声レベルの前記推定値を更新する請求項１記載の適応利得制御装置。
【請求項１１】
一連の近端信号サンプルブロックのそれぞれの終わりにおいて利得制御プロセッサ（１６０）が該ピーク近端音声レベルの前記推定値を更新する請求項１０記載の適応利得制御装置。
【請求項１２】
利得制御プロセッサ（１６０）が、該ピーク近端音声レベルの前記推定値を、前の近端信号サンプルブロックのために作られた該ピーク近端音声レベルの前の推定値と現行近端信号サンプルブロックのために計算された現行近端音声レベルとの加重合計、または前記現行近端信号サンプルブロックのために計算された前記現行近端音声レベルのうちの最大値として更新する、請求項１１記載の適応利得制御装置。
【請求項１３】
前記利得制御プロセッサ（１６０）が、該近端デジタル信号が飽和しているかどうかの判断に基づいて、前記近端アナログ信号に適用される該アナログ利得を調整する請求項１記載の適応利得制御装置。
【請求項１４】
該近端デジタル信号が飽和しているかどうかの前記判断が、一連の近端信号サンプルブロックのそれぞれの終わりにおいて実施される、請求項１３記載の適応利得制御装置。
【請求項１５】
該近端デジタル信号が飽和しているときに、前記利得制御プロセッサ（１６０）が前記近端アナログ信号に適用される該アナログ利得を減少するように適応された請求項１３記載の適応利得制御装置。
【請求項１６】
該利得制御プロセッサ（１６０）が近端音声の平均レベルの前記推定値を更新して該近端デジタル信号における雑音を補償するよう適応された請求項１記載の適応利得制御装置。
【請求項１７】
該利得制御プロセッサ（１６０）が、前記マイクロホンから受けられる前記近端アナログ信号に適用される前記アナログ利得の調整を適応エコー・キャンセラに対して報告するように構成されているので該エコー・キャンセラが直ちに適応フィルタ係数を調整することが可能である請求項１記載の適応利得制御装置。
【請求項１８】
該近端デジタル信号のデジタルサンプルがバッファに蓄積され、
前記利得制御プロセッサ（１６０）は該近端デジタル信号の蓄積されたサンプルに対して処理を行うように構成され、さらに、前記利得制御プロセッサ（１６０）は、該利得の調整を該エコー・キャンセラに報告するときに、前記マイクロホンから受ける前記近端アナログ信号に対して適用される該アナログ利得を調整する際の遅延を補償するように構成されている請求項１７記載の適応利得制御装置。
【請求項１９】
該利得制御プロセッサ（１６０）は、その出力を適応雑音抑圧器に送信するよう構成されており、該適応雑音抑圧器は雑音抑圧アルゴリズムを前記利得制御プロセッサ（１６０）の出力に適用する請求項１記載の適応利得制御装置。
【請求項２０】
該利得制御プロセッサ（１６０）は前記マイクロホン（１１０）から受ける前記近端アナログ信号に適用される該アナログ利得を、近端音声の平均レベルの前記推定値と、該ピーク近端音声レベルの推定値及び該近端デジタル信号が飽和しているかどうかの判断のうちの少なくとも一つとに基づいて調整するように構成されている、請求項１記載の適応利得制御装置。
【請求項２１】
通信システムにおいてソフトウェア制御によって調整可能利得増幅器（１３０）のアナログ利得を適応制御する方法であって、少なくとも一人の近端ユーザーからの近端音声を含む近端アナログ信号がマイクロホン（１１０）を通じて受信され、前記アナログ利得を適用することによって前記調整可能利得増幅器（１３０）によって増幅され、アナログ−デジタル変換器（１４０）によって近端デジタル信号に変換され、かつ遠端音声を含む遠端デジタル信号がデジタル−アナログ変換器（１４５）によってスピーカ（１２０）において受信される遠端アナログ信号に変換され、前記スピーカ（１２０）によって少なくとも一人の近端ユーザーに送信され、
前記方法は、
−利得制御プロセッサ（１６０）によって前記近端デジタル信号における近端音声の平均レベルの推定値を決定するステップ、
―第１の音声有音無音検出器（１５０）によって専ら該近端デジタル信号を測定して、該近端デジタル信号が音声を含むかどうかを決定するステップ、
―第２の音声有音無音検出器（１５５）によって専ら該遠端デジタル信号を測定して、該遠端デジタル信号が音声を含むかどうかを決定するステップ、
―前記利得制御プロセッサ（１６０）において第１（１５０）及び第２（１５５）の音声有音無音検出器からの該近端デジタル信号及び該遠端デジタル信号が音声を含むかどうかを表示する表示を受信するステップ、
―該利得制御プロセッサ（１６０）によって、該近端デジタル信号が音声を含みかつ該遠端デジタル信号が音声を含まないときだけ近端音声の平均レベルの前記推定値を更新するステップ、
―該利得制御プロセッサ（１６０）によって、近端音声の平均レベルの前記推定値を前記目標平均レベルと比較することに基づいて、前記アナログ利得を調整するステップ、及び
―近端音声の平均レベルの前記推定値を前記目標平均レベルに向かわせるために、前記調整可能利得増幅器（１３０）によって前記アナログ利得を前記近端アナログ信号に適用するステップ、
を有し、
さらに、該アナログ利得を調整する該ステップは、該近端デジタル信号が近端音声を含み、該遠端デジタル信号が音声を含まない期間のみに基づいて実施される、方法。
【請求項２２】
前記アナログ利得を調整する前記ステップはさらに、
−該近端デジタル信号が飽和したかどうかを判断するステップ（２２０）、
−もし該近端デジタル信号が飽和している場合、該近端アナログ信号に適用される該アナログ利得を減少させるステップ（２３０）、
−もし該近端デジタル信号が飽和していない場合、近端音声の平均レベルの該推定値を前記目標平均レベルと比較するステップ（２５０，２６０）、
−もし近端音声の平均レベルの該推定値が前記目標平均レベルを超えている場合、該近端アナログ信号に適用される該アナログ利得を減少させるステップ（２３０）、
−もし近端音声の平均レベルの該推定値が前記目標平均レベルを下回っている場合、該近端デジタル信号における該ピーク近端音声レベルの推定値を目標ピークレベルと比較するステップ（２７０）、及び
−該ピーク近端音声レベルの該推定値が該目標ピークレベルを下回っている場合に限り、該近端アナログ信号に適用される該アナログ利得を増加させるステップ（２８０）、
を有する請求項２１記載の方法。
【請求項２３】
近端音声の平均レベルの前記推定値が、近端音声の平均レベルの前の推定値と現行の近端音声レベルとの加重合計として更新され、利得適応化とシステムの安定性との均衡を与える請求項２１記載の方法。
【請求項２４】
前記更新するステップがさらに、一連の近端信号サンプルブロックのそれぞれの終わりにおいて近端音声の平均レベルの前記推定値を更新するステップを含む請求項２１記載の方法。
【請求項２５】
近端音声の平均レベルの前記推定値が、前の近端信号サンプルブロックのために作られた近端音声の平均レベルの前の推定値と現行の近端信号サンプルブロックのために計算された現行の近端音声レベルとの加重合計として円滑に更新される、請求項２４記載の方法。
【請求項２６】
現行近端信号サンプルブロックのための前記近端音声レベルが該近端デジタル信号の平均レベルと該近端雑音レベルの推定値との差として計算される請求項２５記載の方法。
【請求項２７】
該近端雑音レベルの前記推定値が、第１及び第２の音声有音無音検出器が近端音声も遠端音声も前記近端デジタル信号と前記遠端デジタル信号とにそれぞれ存在しないことを示す期間に計算される請求項２６記載の方法。
【請求項２８】
前記一連の近端信号サンプルブロックが音声フレームである、請求項２４記載の方法。
【請求項２９】
前記調整するステップが、いくつかのブロックごとに前記アナログ利得を増加調整するステップをさらに含む、請求項２４記載の方法。
【請求項３０】
前記アナログ利得調整の間のブロック数が時間とともに変化する請求項２９記載の方法。
【手続補正２】
【補正対象書類名】明細書
【補正対象項目名】０００５
【補正方法】変更
【補正の内容】
【０００５】
特許文献１にはハンドフリー機構におけるスピーカホンでの全二重通信チャネル上での半二重操作をエミュレートする方法と装置が開示され、該文献では、信号推定器が近端スピーカへの出力のための近端及びマイクロホン入力と遠端入力との最小信号レベルとともにピーク及び平均信号レベルを推定する。該推定値は利得生成器に入力されて、該利得生成器は第１及び第２のオーディオ入力の利得がどのように変動すべきかを決定し、それは第１の入力に関連した信号または第２の入力に関連した信号の何れかを支配的にして出力に受け渡されるようにするためである。
特許文献２にはスピーカホンのハウリング防止システムが開示され、該システムはスピーカホンによる会話中にスピーカホンのマイクとスピーカとの間の反響エコーパスの突然の変化に起因する、望ましからぬハウリングを除去するのに役立つ。
したがって、通信システムにおいては、信号レベルを調整するための改良された方法及び装置を求める要求がある。
【特許文献１】米国特許第５３５７５６７号明細書
【特許文献２】欧州特許出願公開第０７６５０６７号明細書